(57)【要約】【課題】駆動源にかかる負荷を低減するとともに、長期にわたって開閉部材をスムーズに開閉することができる役物装置および遊技機を提供することを目的とする。【解決手段】通常アタッカー１０の収容部材１１０は上部に入賞口１１１を備え、開閉部材１２０は前後に進退して入賞口１１１を閉鎖・開放する。開閉部材１２０の進退は上下に延びる伝達部材の揺動によってなされ、伝達部材は上端部１３１よりも下端部に近い位置に揺動の軸を備えるため動力源に負荷がかかりやすい。開閉部材１２０は後端部１２２に形成した切欠部１２３，１２４によって軽量化が図られており、動力源にかかる負荷を低減できる。また、開閉部材１２０は切欠部１２３，１２４非形成の場合と比べ撓みやすいので、遊技球衝突時の衝撃を吸収でき、塑性変形を抑制できるので、スムーズな開閉状態を長期にわたって維持できる。【選択図】図４
2014014417.tif 000002
【特許請求の範囲】
【請求項１】
遊技機の盤面において前記盤面の前側に張り出して設けられ、前記盤面を流下する遊技球が入賞可能な入賞口を上部に開口し、前記入賞口に入賞した前記遊技球を収容する収容部材と、
板状をなし、上下方向に板面を向けた状態で前記盤面の前後方向に出退可能に設けられ、前記前後方向の前側へ向けて移動した場合に前記入賞口を閉鎖する閉鎖位置と、前記前後方向の後側へ向けて移動した場合に前記入賞口を開放する開放位置との間で移動して前記入賞口の開閉を行う開閉部材と、
前記開閉部材を前記閉鎖位置と前記開放位置との間で移動させるための動力を発生する動力源と、
前記上下方向に延び、左右方向に延びる軸によって上端部を前記前後方向に揺動可能に支持されて、下端部に接続する前記動力源の動力を前記開閉部材に伝達する伝達部材と、
を備えた役物装置であって、
前記開閉部材は、
前記前後方向における前端側の部位であり、前記開閉部材が前記閉鎖位置に位置する場合に、前記入賞口の上方に位置して前記入賞口を覆う前端部と、
前記前後方向における後端側の部位であり、前記伝達部材の前記上端部に連結する連結部と、前記上下方向に貫通する貫通部とが形成された後端部と、
を有することを特徴とする役物装置。
【請求項２】
前記貫通部は、前記開閉部材の後端に接続する切り欠き状に形成されたことを特徴とする請求項１に記載の役物装置。
【請求項３】
前記伝達部材は、上端側よりも下端側に近い部位において前記軸に支持されていることを特徴とする請求項１または２に記載の役物装置。
【請求項４】
前記開閉部材は、前記左右方向の両端において下方に突出しつつ前記前後方向に延び、前記収容部材の上部に突き当てた状態で擦り動く一対の突出部をさらに備え、
前記貫通部は、前記一対の突出部と前記連結部との間に形成されていることを特徴とする請求項１から３のいずれかに記載の役物装置。
【請求項５】
前記伝達部材と前記動力源との間に、前記動力源の動力によって前記前後方向に直交する周方向に回転可能な回転部と、前記回転部から前方へ向けて平行に延びる２本の軸部と、を有する中継部材をさらに備え、
前記伝達部材は、前記下端部に、前記左右方向に延び、前記中継部材の前記２本の軸部間に係合する係合軸を有し、
前記中継部材は、前記回転部の回転に応じて前記２本の軸部で前記伝達部材の前記係合軸を前記上下方向に押圧し、前記下端部を前記上下方向に移動させ、前記上端部を前記前後方向に揺動することを特徴とする請求項１から４のいずれかに記載の役物装置。
【請求項６】
前記収容部材は、前記左右方向両側の側部に、上方へ向けて延び、前記左右方向の内向きにそれぞれ折り返し、前記開閉部材の側方と上方への移動を規制する規制部を備え、
前記開閉部材は、左右両側の側部後端において上方へ向けて突起し、前記開閉部材が前記閉鎖位置に移動した際に前記規制部に当接して、前記開閉部材の前方への移動を規制する当接部を備えることを特徴とする請求項１から５のいずれかに記載の役物装置。
【請求項７】
請求項１から６のいずれかに記載の役物装置を備える遊技機。
【発明の詳細な説明】
【技術分野】
【０００１】
本発明は、遊技球が入賞可能な入賞口を備えた役物装置および遊技機に関する。
【背景技術】
【０００２】
従来、入賞口に設けられ、所定条件の成立を契機に入賞口を開放する開閉部材を備える役物装置が知られている。このような役物装置を備える遊技機では、例えば大当たり遊技中に開閉部材が入賞口を所定時間開放する間に入賞口へ入賞した遊技球の個数に応じて商品球の払い出しが行われる。役物装置の開閉部材としては、遊技機の盤面に開口する入賞口を、閉鎖時には覆い、開放時には入賞口の下方にて軸支される下端側を軸に上端側を盤面の前方へ倒して入賞口を開くことで、盤面を流下する遊技球を受け止めて入賞口内へ導くものが知られている。
【０００３】
ところで、盤面前方に張り出した入賞球転動領域の上部に遊技球を流下方向に受け入れる入賞口（入口）を有し、盤面の前後方向に進退して入賞口の開閉を行う開閉扉を備える可変入賞口装置が知られている（例えば特許文献１参照）。特許文献１の可変入賞口装置は、開閉扉の下方に上下に延びる可動アームを配置し、可動アームの上端部が開閉扉に連結する。可動アームは、下端部にソレノイドの駆動力が伝達され、下端部側に設けた左右に延びる回転軸を中心に上端部側を前後に揺動させて、開閉扉の進退を行う。
【先行技術文献】
【特許文献】
【０００４】
【特許文献１】特開２０１１−２１２３６５号公報
【発明の概要】
【発明が解決しようとする課題】
【０００５】
しかしながら特許文献１では、開閉扉の閉鎖時に、盤面を流下する遊技球が開閉扉に載ったときの重みや衝突時の衝撃に耐えられるように剛性を高めるため、開閉扉の厚みを厚く形成する必要があり、重みも比較的重くなる。上記のように、可動アームは回転軸を有する下端部側を支点とし、動力が伝達される下端部を力点に、開閉扉と連結する上端部を作用点として揺動するため、比較的重い開閉扉を前後に進退させる上で力点にかかる負荷は大きく、ソレノイドにかかる負荷も大きかった。また、開閉扉の剛性を高めたことにより開閉扉は撓みにくく、遊技球の重みや衝突時の衝撃を吸収することが難しいため、長期にわたって重みや衝撃を受けることで開閉扉が塑性変形すると、開閉扉の開閉がスムーズに行えなくなる虞があった。
【０００６】
本発明は、上記課題を解決するためになされたものであり、駆動源にかかる負荷を低減するとともに、長期にわたって開閉部材をスムーズに開閉することができる役物装置および遊技機を提供することを目的とする。
【課題を解決するための手段】
【０００７】
本発明の第１態様によれば、遊技機の盤面において前記盤面の前側に張り出して設けられ、前記盤面を流下する遊技球が入賞可能な入賞口を上部に開口し、前記入賞口に入賞した前記遊技球を収容する収容部材と、板状をなし、上下方向に板面を向けた状態で前記盤面の前後方向に出退可能に設けられ、前記前後方向の前側へ向けて移動した場合に前記入賞口を閉鎖する閉鎖位置と、前記前後方向の後側へ向けて移動した場合に前記入賞口を開放する開放位置との間で移動して前記入賞口の開閉を行う開閉部材と、前記開閉部材を前記閉鎖位置と前記開放位置との間で移動させるための動力を発生する動力源と、前記上下方向に延び、左右方向に延びる軸によって上端部を前記前後方向に揺動可能に支持されて、下端部に接続する前記動力源の動力を前記開閉部材に伝達する伝達部材と、を備えた役物装置であって、前記開閉部材は、前記前後方向における前端側の部位であり、前記開閉部材が前記閉鎖位置に位置する場合に、前記入賞口の上方に位置して前記入賞口を覆う前端部と、前記前後方向における後端側の部位であり、前記伝達部材の前記上端部に連結する連結部と、前記上下方向に貫通する貫通部とが形成された後端部と、を有することを特徴とする役物装置が提供される。
【０００８】
第１態様では、開閉部材に貫通部を形成することで、開閉部材自身の重さを軽くすることができる。開閉部材の軽量化を図ることで動力源にかかる負荷を小さくすることができ、開閉部材の開閉をスムーズに行うことができる。また、開閉部材は、閉鎖位置にある場合に、入賞口を覆う前端部が盤面を流下する遊技球の重みや衝突時の衝撃を受けるが、貫通部は後端部に形成されるので、前端部の剛性を確保でき、遊技球の衝撃等に十分に耐えることができる。もっとも、上記のように前端部の剛性を確保できるものの、貫通部を有する開閉部材は、貫通部非形成の場合と比べれば、撓みやすい。ゆえに、盤面を流下する遊技球の衝突時の衝撃を吸収することができる。したがって、遊技機の使用に伴い長期にわたって遊技球衝突の衝撃を受ける開閉部材の塑性変形を抑制でき、ひいては、開閉部材が塑性変形した場合における開閉時の抵抗増加を防止することができ、すなわち、スムーズな開閉状態を長期にわたって維持できる。
【０００９】
第１態様において、前記貫通部は、前記開閉部材の後端に接続する切り欠き状に形成されてもよい。貫通部を切り欠き状に形成することによって、開閉部材のさらなる軽量化を図ることができる。
【００１０】
第１態様において、前記伝達部材は、上端側よりも下端側に近い部位において前記軸に支持されてもよい。伝達部材が、開閉部材に連結する上端部よりも下端部に近い位置で支持される形態においては、支点（軸）に対して力点（下端部）が作用点（上端部）よりも近くなるので、伝達部材が上下の中央や上端部側で支持される形態の場合と比べ、動力源にかかる負荷が大きくなる。しかし、上記のように開閉部材の軽量化を図り、動力源にかかる負荷を小さくすることで、このような伝達部材の形態による負荷の増加分を相殺すれば、開閉部材の開閉のスムーズさを確保することができる。
【００１１】
第１態様において、前記開閉部材は、前記左右方向の両端において下方に突出しつつ前記前後方向に延び、前記収容部材の上部に突き当てた状態で擦り動く一対の突出部をさらに備えてもよい。この場合に、前記貫通部は、前記一対の突出部と前記連結部との間に形成されてもよい。突出部が設けられたことによって、開閉部材は収容部材との接点が小さくて済み、開閉部材の開閉をスムーズに行うことができる。また、貫通部は突出部と連結部との間に形成されており、突出部に干渉しないので、突出部を前後方向に長く形成でき、開閉部材への遊技球の衝突時の支えとしての安定性が高く、開閉部材のスムーズな開閉状態を長期にわたって維持できる。
【００１２】
第１態様において、前記伝達部材と前記動力源との間に、前記動力源の動力によって前記前後方向に直交する周方向に回転可能な回転部と、前記回転部から前方へ向けて平行に延びる２本の軸部と、を有する中継部材をさらに備えてもよい。この場合に、前記伝達部材は、前記下端部に、前記左右方向に延び、前記中継部材の前記２本の軸部間に係合する係合軸を有してもよい。前記中継部材は、前記回転部の回転に応じて前記２本の軸部で前記伝達部材の前記係合軸を前記上下方向に押圧し、前記下端部を前記上下方向に移動させ、前記上端部を前記前後方向に揺動してもよい。伝達部材と中継部材との係合は、２本の軸部間に係合軸が配置されればよい。例えば２本の軸部に代えて係合軸の先端を三方から囲むコの字型の部品を用い、係合軸の先端を包むように保持した上で、当該部品で係合軸を上下方向に押圧する場合、係合軸の先端が確実に前記部品に係合する必要があるため、係合軸の長さに精度が必要である。第１態様の係合軸は、長さに精度が不要であるため、生産コストを低減することができる。
【００１３】
第１態様において、前記収容部材は、前記左右方向両側の側部に、上方へ向けて延び、前記左右方向の内向きにそれぞれ折り返し、前記開閉部材の側方と上方への移動を規制する規制部を備えてもよい。前記開閉部材は、左右両側の側部後端において上方へ向けて突起し、前記開閉部材が前記閉鎖位置に移動した際に前記規制部に当接して、前記開閉部材の前方への移動を規制する当接部を備えてもよい。収容部材の上部に当接する突出部が開閉部材の下方への移動を規制し、規制部が左右側方および上方への開閉部材の移動を規制し、当接部が開閉部材の前方への移動を規制するので、開閉部材が収容部材からはずれることがない。ゆえに、役物装置を、遊技機を構成するユニットとして扱うことができ、遊技機への組み付け、遊技機からの取り外しを行っても、役物装置から開閉部材が外れてしまう虞がなく、取り扱いが容易である。
【００１４】
本発明の第２態様によれば、第１態様に係る役物装置を備える遊技機が提供される。第１態様の役物装置を備えることで、開閉部材の開閉を長期にわたってスムーズに行うことができる。また、役物装置をユニット化できることで、取り扱いが容易であり、遊技機の製造に手間がかからず、さらに他の遊技機にも組み込むことができ、低コストかを図ることができる。
【図面の簡単な説明】
【００１５】
【図１】パチンコ機１の正面図である。
【図２】通常アタッカー１０付近（図１の点線Ａで囲む部分）を拡大して見た図である。
【図３】通常アタッカー１０の正面図である。
【図４】通常アタッカー１０を前方右斜め上方から見た斜視図である。
【図５】開閉部材１２０が閉鎖位置にある場合における通常アタッカー１０の部分分解斜視図である。
【図６】開閉部材１２０が閉鎖位置にある場合における通常アタッカー１０の部分分解正面図である。
【図７】開閉部材１２０が開放位置にある場合における通常アタッカー１０の部分分解斜視図である。
【図８】開閉部材１２０が開放位置にある場合における通常アタッカー１０の部分分解正面図である。
【図９】開閉部材２２０の斜視図である。
【発明を実施するための形態】
【００１６】
以下、本発明に係る役物装置および遊技機の一実施の形態である通常アタッカー１０およびパチンコ機１について、図面を参照して説明する。まず、通常アタッカー１０を備えるパチンコ機１の機械的な構成について、図１、図２を参照して説明する。なお、以下の説明において、パチンコ機１の上下方向、左右方向、および表裏方向については、特に断りがない場合、遊技盤２の盤面の向きを基準とする。すなわち、ホールに設置されたパチンコ機１で遊技を行う遊技者からパチンコ機１を見た向き（図１に図示されるパチンコ機１の向き）が基準となる。以下では便宜上、表裏方向を前後方向として説明を行う。また、パチンコ機１に使用される装置や部品についても、パチンコ機１に組み付けられた場合の向きを基準に、上下方向、左右方向、および前後方向を規定するものとする。
【００１７】
図１に示すように、パチンコ機１の上段側には遊技盤２が設けられている。遊技盤２は略正方形であり、透明なガラス板を保持した前面枠１３によって前面を保護されている。遊技盤２の下段側には上皿５および下皿６が設けられている。上皿５は遊技盤２の下部に設けられ、発射機（図示外）に遊技球を供給し、且つ賞品球を受ける。上皿５の上部中央には、遊技者によって操作される操作ボタン９が配設されている。下皿６は上皿５の直下に設けられ、上皿５から溢れたり排出されたりする賞品球を受ける。下皿６の右横には、遊技球の発射を調整する発射ハンドル７が設けられている。また、前面枠１３の上部の左右の角には、スピーカ４８がそれぞれ設けられている。
【００１８】
遊技盤２の前面には、ガイドレール３で囲まれた略円形の遊技領域４が形成されている。遊技領域４の略中央には、ＬＣＤ（液晶ディスプレイ）等を用いて構成される表示装置２８が設けられている。表示装置２８の表示画面には、動画、メッセージ等の様々な映像が表示され、特に、大当り判定の結果を報知するためのデモ図柄が表示される。パチンコ機１は、複数（本実施形態では３つ）のデモ図柄を変動させた後に、大当たり判定の結果を示すデモ図柄の組み合わせを確定表示させる報知演出を実行することで、大当たり判定の結果を遊技者に報知する。
【００１９】
表示装置２８の外縁を取り囲むように、各種演出を行う演出装置３０が設けられている。演出装置３０は、モータ等の動力を用いて装飾体３１等を駆動し、さらにＬＥＤ等の発光体を発光させ、表示装置２８およびスピーカ４８等と連動しながら様々な演出を行う。
【００２０】
表示装置２８の下方には、第一特別図柄始動入賞口１４が設けられている。表示装置２８の右方には普通図柄始動ゲート１２が設けられている。普通図柄始動ゲート１２の下方には第二特別図柄始動電動役物１５が配設されている。第二特別図柄始動電動役物１５の左斜め下方には、通常アタッカー１０が設けられている。図２に示すように、通常アタッカー１０は、前後方向に進退して入賞口１１１を閉鎖または開放する開閉部材１２０を備える。遊技球は、開閉部材１２０が入賞口１１１を開放した状態でのみ、入賞口１１１に入賞できる。なお、通常アタッカー１０の詳細な構造については後述する。
【００２１】
図１に示すように、第一特別図柄始動入賞口１４の直下にはＶアタッカー１７が設けられている。Ｖアタッカー１７は、左右方向に揺動して入賞口を開放・閉鎖する羽部材を備える。上記同様、遊技球は羽部材が開放した状態でのみ、Ｖアタッカー１７に入賞できる。羽部材はソレノイドによって電気的に開閉される。第一特別図柄始動入賞口１４、第二特別図柄始動電動役物１５、通常アタッカー１０、Ｖアタッカー１７に遊技球が入賞すると、それぞれ所定数の遊技球が商品球として払い出される。
【００２２】
本実施形態では、第一特別図柄始動入賞口１４に入賞すると、第一特別図柄大当たり判定が行われる。その結果、大当たりであると判定されると、通常アタッカー１０およびＶアタッカー１７が所定の順序で開放される大当たり遊技が実行される。図示しないが、Ｖアタッカー１７に入賞した遊技球の流路には、特定領域および非特定領域が形成されている。パチンコ機１では、大当たり遊技中に遊技球がＶアタッカー１７内の特定領域を通過することが、大当たり遊技終了後に確率変動状態を生起する条件となっている。Ｖアタッカー１７は１回の大当たり遊技中に１回開放される。
【００２３】
また、普通図柄始動ゲート１２を遊技球が通過すると、普通当たり判定が行われる。その結果、普通当たりであると判定されると、第二特別図柄始動電動役物１５が開放される。遊技球が第二特別図柄始動電動役物１５に入賞すると、第二特別図柄大当たり判定が行われる。その結果、大当たりであると判定されると、上記同様に大当たり遊技が実行される。
【００２４】
図示しないが、パチンコ機１の背面側には、各種基板を備えた制御部が設けられている。制御部の各基板は、ＣＰＵ、ＲＡＭ、ＲＯＭ等を備えており、パチンコ機１の各種動作を制御する。例えば、主基板は、普通当たり判定、大当たり判定等を行い、パチンコ機１の主制御を司る。中継基板は、主基板で行われた制御結果に基づいて、通常アタッカー１０の開閉部材１２０やＶアタッカー１７の羽部材の開閉を行うソレノイドを駆動する。
【００２５】
次に、図２〜図８を参照し、通常アタッカー１０の構造の詳細について説明する。前述したように、通常アタッカー１０は、ガイドレール３に囲まれる略円形の遊技領域４において、略中央に配置される表示装置２８の右斜め下側の位置に配置される（図１参照）。
【００２６】
図２に示すように、通常アタッカー１０の前面には化粧板１９０が取り付けられている。化粧板１９０は後述する収容部材１１０の前側の側壁を構成する。また、化粧板１９０は、入賞口１１１を含む収容部材１１０の上部側の一部を外部に露出する開口１９１を有する。化粧板１９０は段状をなし、開口１９１よりも上側の部分が収容部材１１０よりも後方に位置する。化粧板１９０は、開口１９１の上側の縁に、前方へ向けて下向きの傾斜を有して突出しつつ、入賞口１１１に沿って左右に延びる整流突起１９２を備える。整流突起１９２は、盤面を流下する遊技球が入賞口１１１に入賞する際に衝突可能に設けられている。整流突起１９２は、衝突した遊技球の収容部材１１０内への進入角度を変更することで、遊技球が収容部材１１０の底壁に真っ直ぐ当たって跳ね返り、入賞口１１１から飛び出してしまうことを防止する。また、図示しないが、化粧板１９０の開口１９１の下側の縁は後方且つ上方を向く傾斜面に形成され、上記同様、流下する遊技球の収容部材１１０内への進入角度を変更する。
【００２７】
図３、図４に示すように、通常アタッカー１０は、正面視（図３参照）、左右方向に細幅に延びる略矩形状で前後方向に延びる箱形状の筐体１００を有する。筐体１００は上蓋１０１と下蓋１０２を上下に組み付けて形成される。筐体１００の前面側で上部の位置には、遊技球を収容する収容部材１１０が設けられている。筐体１００の上蓋１０１はさらに前後に２つの部分に分割可能であり、収容部材１１０は、上蓋１０１を分割した前側の部分と一体に形成されている。
【００２８】
収容部材１１０は、遊技球の直径よりやや大きい程度の細幅で左右方向に延び、左側が下向きに傾斜する底壁１１２を有する。また、底壁１１２の左右両端および後端には、それぞれ上向きに立ち上がる側壁１１３，１１４および背壁１１５が接続する。収容部材１１０は、底壁１１２、側壁１１３，１１４および背壁１１５に囲まれ、前側および上側を開放する細長い凹部状に形成されている。収容部材１１０の上側の開放部分は、後述する開閉部材１２０の開放時に遊技球が収容部材１１０内に進入可能な入口である入賞口１１１として機能する。
【００２９】
また、収容部材１１０の背壁１１５は、左端が遊技球の直径程度の大きさを空けて側壁１１３から離れて位置し、側壁１１３および底壁１１２とで収容部材１１０に収容した遊技球の排出口１１６を形成する。排出口１１６は筐体１００の内部に通じ、筐体１００の左部後方側に設けられた、遊技球の通過を検出する通常アタッカースイッチ（図示外）に遊技球を案内する案内路１１７に接続する。入賞口１１１に入賞した遊技球は、底壁１１２の斜面に沿って左方に転がり、排出口１１６から筐体１００内に進入して案内路１１７を転がり、通常アタッカースイッチを通過した後、筐体１００の下方へ排出される。
【００３０】
収容部材１１０の上部には、前後方向に進退可能で左右方向が前後方向よりも長い板状で、収容部材１１０の底壁１１２に沿って左側を下向きに傾斜させた開閉部材１２０が配置されている。開閉部材１２０は、下面側で左右両側の側部に、それぞれ下向きに突出しつつ前後方向に延びる突出部１２７を有する。突出部１２７は、開閉部材１２０が前後に進退する際に、突出先端を収容部材１１０の上部に突き当てた状態で擦り動く。突出部１２７は突出先端が丸められており、収容部材１１０との摩擦を小さい状態に保つ。
【００３１】
前後方向において開閉部材１２０の前側の部分である前端部１２１は、前後方向の幅が収容部材１１０の底壁１１２と略同じであり、収容部材１１０の上側の開放部分すなわち入賞口１１１を覆って閉鎖することができる大きさを有する。開閉部材１２０の後側の部分である後端部１２２は、中央寄りの位置に、後述する伝達部材１３０の上端部１３１が連結する連結部１２５を有する。連結部１２５の左右には、開閉部材１２０の厚みを貫通し、後端に接続する切り欠き状の切欠部１２３，１２４がそれぞれ形成されている。また、後端部１２２の上面側で左右両側の側部後端には、上向きに突出する当接部１２６がそれぞれ形成されている。
【００３２】
開閉部材１２０は、後述するソレノイド１４０の駆動に応じ、入賞口１１１を開放する開放位置と、入賞口１１１を閉鎖する閉鎖位置との間で、前後方向に進退する。より具体的に、開閉部材１２０の開放位置とは、図７、図８に示すように、開閉部材１２０の前端部１２１が収容部材１１０の直上の位置よりも後方に後退し、入賞口１１１が開放した状態、すなわち遊技球が入賞可能な状態となる位置である。また、開閉部材１２０の閉鎖位置とは、図３〜図６に示すように、開閉部材１２０の前端部１２１が収容部材１１０の直上に前進し、入賞口１１１が閉鎖した状態、すなわち遊技球が入賞不可能な状態となる位置である。
【００３３】
図３、図４に示すように、収容部材１１０の左右両側の側部には、上方へ向けて板状に延び、さらに左右内向きにそれぞれ折り返す形状の規制部１１８が形成されている。規制部１１８は、突出部１２７が形成された開閉部材１２０の側部に対し、その側方および上方にて向き合い、開閉部材１２０の左右側方および上方への移動を規制する。規制部１１８は、収容部材１１０の後方に位置する、筐体１００の上蓋１０１を分割した前側の部分にも延び、開閉部材１２０を収容部材１１０の上部および上蓋１０１の上部との間で挟む形態で、開閉部材１２０の進退の際の移動方向を案内する。開閉部材１２０の当接部１２６は、開閉部材１２０が前側へ前進して閉鎖位置に位置する場合に、規制部１１８の後端に当接する。すなわち規制部１１８は、開閉部材１２０の閉鎖位置よりも前方への移動を規制する。なお、開閉部材１２０の開放位置よりも後方への移動は、筐体１００の上蓋１０１の後端に設けられ上方に突起する板状に形成された規制板１０５（図４参照）に、開閉部材１２０の後端が当接することによって規制される。
【００３４】
次に、図５、図６に示すように、筐体１００の前側で左右の中央寄りの位置には、上下方向に延びる板状の伝達部材１３０が配置されている。なお、図５、図６に示す通常アタッカー１０は、筐体１００の上蓋１０１と収容部材１１０を取り外した状態のものである。伝達部材１３０は下端側に、左右に延びる軸１３２を有し、筐体１００の下蓋１０２に設けられた軸受１０３に軸１３２が支持される。伝達部材１３０は軸１３２より下端側の下端部１３４が前方へ向けて曲折しており、下端部１３４に、軸１３２と平行に右方へ向けて延びる棒状の伝達棒１３３が設けられている。伝達部材１３０の上端部１３１は、伝達棒１３３が上下に移動することで、軸１３２を中心に、前後に揺動する。軸１３２と下端部１３４との間の距離は、軸１３２と上端部１３１との間の距離よりも短く構成されており、伝達部材１３０は、伝達棒１３３の上下への移動範囲を小さくして、上端部１３１の前後への揺動範囲を大きくできる。なお、伝達部材１３０の上端部１３１寄りの部位は、前後への屈曲によって段状をなすように形成されており、上端部１３１の揺動に伴う他部材（具体的にはソレノイド１４０）との干渉が回避されている。
【００３５】
伝達部材１３０の後側には、開閉部材１２０を進退させる動力源であるソレノイド１４０が設けられている。ソレノイド１４０は、伝達部材１３０の後方右側にて可動鉄心１４１を左右に進退する向きに配置して、筐体１００の下蓋１０２に固定されている。可動鉄心１４１にはつる巻きばね（図示外）が取り付けられている。可動鉄心１４１は、ソレノイド１４０の通電時には左方へ向けてソレノイド１４０から突出した状態に維持され、非通電時には、つる巻きばねによって右方へ向けてソレノイド１４０内に後退した状態に保持される。ソレノイド１４０先端には、２つの鍔状の突部を左右に間を空けて並べ、両者間に中継部材１５０の係合突起１５２が係合する係合部１４２が設けられている。
【００３６】
中継部材１５０は、ソレノイド１４０の駆動力で伝達部材１３０を揺動させて開閉部材１２０を進退させるため、ソレノイド１４０と伝達部材１３０との間での動力の伝達を中継する部材である。中継部材１５０は筐体１００の右側で、伝達部材１３０の右方に配置されている。中継部材１５０は、ソレノイド１４０の可動鉄心１４１を前側および後側から挟んで配置した２つの板状の基体１５１を備え、基体１５１同士は可動鉄心１４１の下方で前後に延びる連結板１５３（図７参照）で連結されている。２つの基体１５１は連結板の上方の位置に、互いに向き合う向きに突出する係合突起１５２をそれぞれ備えている。係合突起１５２は、可動鉄心１４１の係合部１４２に向けて、それぞれ前側と後側から係合部１４２を挟むように突出し、係合部１４２に係合する。
【００３７】
基体１５１の係合突起１５２の形成位置よりも左方には、前後方向に延びる軸１５４が、２つの基体１５１から、前後方向において互いに離れる向きにそれぞれ突出して設けられている。軸１５４は筐体１００の下蓋１０２に設けられた軸受１０４に支持される。基体１５１は軸１５４を中心とする周方向に、所定の範囲で回動可能に保持される。２つのうちの前側の基体１５１は、軸１５４よりも右側で係合突起１５２より下側の位置に、前方へ向けて互いに平行に突出する２本の棒状の駆動棒１５５，１５６を備える。駆動棒１５５と軸１５４との間の距離は、駆動棒１５６と軸１５４との間の距離と略同じであり、駆動棒１５５は、駆動棒１５６よりも上側に位置する。また、駆動棒１５５と駆動棒１５６との間には、伝達部材１３０の伝達棒１３３の外径より大きな間隙が設けられており、両者間に伝達棒１３３の先端部が配置される。
【００３８】
このような構成の通常アタッカー１０において、入賞口１１１に入賞した遊技球は、収容部材１１０に収容され、底壁１１２を転がり排出口１１６から案内路１１７を介して通常アタッカースイッチを通過した後、筐体１００から排出される。パチンコ機１は、通常アタッカースイッチを通過した遊技球の数に応じて商品球の払い出しを行う。入賞口１１１は、パチンコ機１における遊技の状態に応じ、収容部材１１０の上部に位置する開閉部材１２０が進退し、開放位置にある場合に、遊技球が入賞可能に開放する。
【００３９】
開閉部材１２０の進退は、ソレノイド１４０の駆動によって行われる。開閉部材１２０を、図３〜図６に示す、閉鎖位置に位置させる場合、ソレノイド１４０には通電がなされない。可動鉄心１４１は、つる巻きばね（図示外）によって係合部１４２がソレノイド１４０の本体から離れるように付勢され、係合部１４２が右方へ移動する。係合部１４２に係合する中継部材１５０の係合突起１５２が係合部１４２によって右方に押圧され、基体１５１が軸１５４を中心に前面側から見て右回りに回転する。駆動棒１５５および駆動棒１５６は、基体１５１とともに軸１５４回りに回転して下方に移動し、上側の駆動棒１５５が、両者間に挟む伝達棒１３３を下方へ押圧する。伝達棒１３３が下方へ押圧されると、軸１３２を中心に伝達部材１３０が回転し、上端部１３１が前方へ移動する。伝達部材１３０の上端部１３１が、自身に連結する開閉部材１２０の連結部１２５を前方へ押圧し、開閉部材１２０が前方へ移動する。開閉部材１２０の前端部１２１が収容部材１１０の入賞口１１１を覆った位置で、当接部１２６が規制部１１８の後端に当接し、開閉部材１２０が閉鎖位置に位置する。盤面を流下する遊技球は、開閉部材１２０の前端部１２１によって入賞口１１１への入賞が妨げられる。
【００４０】
開閉部材１２０を、図７、図８に示す、開放位置に位置させる場合、ソレノイド１４０への通電が行われる。可動鉄心１４１がソレノイド１４０の本体内に引き込まれるように後退し、係合部１４２が左方へ移動する。係合部１４２に係合する中継部材１５０の係合突起１５２が係合部１４２によって左方に押圧され、基体１５１が軸１５４を中心に前面側から見て左回りに回転する。駆動棒１５５および駆動棒１５６は、基体１５１とともに軸１５４回りに回転して上方に移動し、下側の駆動棒１５６が、両者間に挟む伝達棒１３３を上方へ押圧する。伝達棒１３３が上方へ押圧されると、軸１３２を中心に伝達部材１３０が回転し、上端部１３１が後方へ移動する。伝達部材１３０の上端部１３１が、自身に連結する開閉部材１２０の連結部１２５を後方へ押圧し、開閉部材１２０が後方へ移動する。開閉部材１２０の前端部１２１が収容部材１１０の入賞口１１１の上方から退避し、開閉部材１２０が開放位置に位置する。盤面を流下する遊技球は、入賞口１１１から入賞することが可能になる。
【００４１】
ところで、上記したように、伝達部材１３０は、支点である軸１３２が、作用点である上端部１３１よりも、力点である下端部１３４寄りの位置にある。この構成の伝達部材１３０は、上端部１３１の揺動範囲に比べて下端部１３４の移動範囲を小さくできるが、開閉部材１２０の進退においてソレノイド１４０にかかる負荷が大きくなる。ここで、図４に示すように、開閉部材１２０は後端部１２２に切欠部１２３，１２４を有する。開閉部材１２０は、この切欠部１２３，１２４が形成されることによって、全体の重さが軽減される。したがって、ソレノイド１４０が開閉部材１２０を進退させる上でソレノイド１４０にかかる負荷も、軽減される。
【００４２】
一方、前端部１２１は、開閉部材１２０が閉鎖位置にある場合に、入賞口１１１の上方を覆い、遊技球を確実に入賞できなくする。このとき、前端部１２１には盤面を流下する遊技球が衝突するため、前端部１２１は衝突に耐える剛性を必要とするが、前端部１２１には開口や切り欠きがないので、剛性を維持することができる。すなわち、開閉部材１２０は、前端部１２１が遊技球の衝突に耐える剛性を有し、後端部１２２に切欠部１２３，１２４を有することで、開閉部材１２０として撓みを確保し、これにより、遊技球衝突時の衝撃を吸収できるので、塑性変形を防止することができる。
【００４３】
以上説明したように、本発明に係る役物装置の一例である通常アタッカー１０は、開閉部材１２０に切欠部１２３，１２４を形成することで、開閉部材１２０自身の重さを軽くすることができる。開閉部材１２０の軽量化を図ることでソレノイド１４０にかかる負荷を小さくすることができ、開閉部材１２０の開閉をスムーズに行うことができる。また、開閉部材１２０は、閉鎖位置にある場合に、入賞口１１１を覆う前端部１２１が盤面を流下する遊技球の重みや衝突時の衝撃を受けるが、切欠部１２３，１２４は後端部１２２に形成されるので、前端部１２１の剛性を確保でき、遊技球の衝撃等に十分に耐えることができる。もっとも、上記のように前端部１２１の剛性を確保できるものの、切欠部１２３，１２４を有する開閉部材１２０は、切欠部非形成の場合と比べれば、撓みやすい。ゆえに、盤面を流下する遊技球の衝突時の衝撃を吸収することができる。したがって、パチンコ機１の使用に伴い長期にわたって遊技球衝突の衝撃を受ける開閉部材１２０の塑性変形を抑制でき、ひいては、開閉部材１２０が塑性変形した場合における開閉時の抵抗増加を防止することができ、すなわち、スムーズな開閉状態を長期にわたって維持できる。
【００４４】
また、切欠部１２３，１２４を切り欠き状に形成することによって、貫通孔２２３，２２４（図９参照）を形成した場合と比べて開閉部材１２０のさらなる軽量化を図ることができる。また、伝達部材１３０が、開閉部材１２０に連結する上端部１３１よりも下端部１３４に近い位置で支持される形態においては、支点（軸１３２）に対して力点（下端部１３４）が作用点（上端部１３１）よりも近くなるので、伝達部材１３０が上下の中央や上端部１３１側で支持される形態の場合と比べ、ソレノイド１４０にかかる負荷が大きくなる。しかし、上記のように開閉部材１２０の軽量化を図り、ソレノイド１４０にかかる負荷を小さくすることで、このような伝達部材１３０の形態による負荷の増加分を相殺すれば、開閉部材１２０の開閉のスムーズさを確保することができる。
【００４５】
また、突出部１２７が設けられたことによって、開閉部材１２０は収容部材１１０との接点が小さくて済み、開閉部材１２０の開閉をスムーズに行うことができる。また、切欠部１２３，１２４は突出部１２７と連結部１２５との間に形成されており、突出部１２７に干渉しないので、突出部１２７を前後方向に長く形成でき、開閉部材１２０への遊技球の衝突時の支えとしての安定性が高く、開閉部材１２０のスムーズな開閉状態を長期にわたって維持できる。
【００４６】
また、伝達部材１３０と中継部材１５０との係合は、２本の駆動棒１５５，１５６間に伝達棒１３３が配置されればよい。例えば２本の駆動棒１５５，１５６に代えて伝達棒１３３の先端を三方から囲むコの字型の部品を用い、伝達棒１３３の先端を包むように保持した上で、当該部品で伝達棒１３３を上下方向に押圧する場合、伝達棒１３３の先端が確実に前記部品に係合する必要があるため、伝達棒１３３の長さに精度が必要である。本実施形態の伝達棒１３３は、長さに精度が不要であるため、生産コストを低減することができる。
【００４７】
また、収容部材１１０の上部に当接する突出部１２７が開閉部材１２０の下方への移動を規制し、規制部１１８が左右側方および上方への開閉部材１２０の移動を規制し、当接部１２６が開閉部材１２０の前方への移動を規制するので、開閉部材１２０が収容部材１１０からはずれることがない。ゆえに、通常アタッカー１０を、パチンコ機１を構成するユニットとして扱うことができ、パチンコ機１への組み付け、パチンコ機１からの取り外しを行っても、通常アタッカー１０から開閉部材１２０が外れてしまう虞がなく、取り扱いが容易である。
【００４８】
本発明は、以上詳述した実施の形態に限定されるものではなく、本発明の要旨を逸脱しない範囲内において種々の変更が可能であることは言うまでもない。例えば、図９に示す、開閉部材２２０のように、後端部２２２に、本実施形態の切欠部１２３，１２４に代えて、開閉部材２２０の厚みを貫通する貫通孔２２３，２２４を設け、開閉部材２２０の軽量化を図ってもよい。なお、貫通孔２２３，２２４は、例えばメッシュ状（すなわち複数の貫通孔を後端部２２２に設けた状態）に形成してもよい。
【００４９】
また、上記した貫通孔２２３，２２４や切欠部１２３，１２４に限らず、例えば凹みを設けることで（すなわち厚さ方向に貫通させず）、開閉部材１２０の軽量化を図ってもよい。開閉部材１２０の前端部１２１に対して後端部１２２の厚みを薄く形成することで、軽量化を図ってもよい。また、当接部１２６は後端部１２２の左右両側の側部後端に設けたが、左右どちらか一方に設けてもよい。また、突出部１２７は前後方向に断続的に延びてもよい。
【００５０】
また、伝達部材１３０は下端部１３４が軸１３２よりも前方へ向けて曲折するが、後方へ向けて曲折してもよいし、あるいは曲折せず、下方へ向けて延びてもよい。また、伝達部材１３０の軸１３２は、上端部１３１側よりも下端部１３４側に近い位置に設けたが、上下の中央に設けてもよいし、あるいは下端部１３４側よりも上端部１３１側に近い位置に設けてもよい。
【００５１】
なお、本発明においては、パチンコ機１が「遊技機」に相当する。通常アタッカー１０が「役物装置」に相当する。ソレノイド１４０が「動力源」に相当する。切欠部１２３，１２４および貫通孔２２３，２２４が「貫通部」に相当する。基体１５１が「回転部」に相当する。駆動棒１５５，１５６が「軸部」に相当する。伝達棒１３３が「係合軸」に相当する。
【符号の説明】
【００５２】
１    パチンコ機
１０    通常アタッカー
１１０    収容部材
１１１    入賞口
１１８    規制部
１２０    開閉部材
１２１    前端部
１２２    後端部
１２３，１２４  切欠部
１２５    連結部
１２６    当接部
１２７    突出部
１３０    伝達部材
１３１    上端部
１３２    軸
１３３    伝達棒
１３４    下端部
１４０    ソレノイド
１５０    中継部材
１５１    基体
１５５，１５６  駆動棒
２２３，２２４  貫通孔
【図１】
2014014417.tif 000003
【図２】
2014014417.tif 000004
【図３】
2014014417.tif 000005
【図４】
2014014417.tif 000006
【図５】
2014014417.tif 000007
【図６】
2014014417.tif 000008
【図７】
2014014417.tif 000009
【図８】
2014014417.tif 000010
【図９】
2014014417.tif 000011